(57)【特許請求の範囲】
【請求項１】
情報の種目の１つを生成することができる携行可能な可撓性電子デバイスであって、
当該携行可能な可撓性電子デバイス（１０）は、ユーザーの体の一部に取り付けられることができるように構成する可撓性本体を有し、
この可撓性本体は、当該携行可能な可撓性電子デバイス（１０）に厚み及び機械的耐久性を与える下側可撓性バンド（１６）と、及び前記下側可撓性バンド（１６）に固定される上側可撓性バンド（１８）を有し、
当該携行可能な可撓性電子デバイス（１０）は、情報を生成する電子アセンブリを有し、
この情報を生成する電子アセンブリは、前記可撓性本体の前記下側可撓性バンド（１６）と前記上側可撓性バンド（１８）の間に収容され、
当該携行可能な可撓性電子デバイスにおいては、それぞれが少なくとも１つの折り目（３２）を有する少なくとも２つの連続的なベロー（３０）どうしが、前記下側可撓性バンド（１６）の長さ上の１つの位置にある横断方向の補強要素（２４）によってお互いから分かれており、
前記補強要素（２４）は、前記可撓性本体の長手方向の対称軸（Ｘ−Ｘ）に対して横断する方向に延在し、前記下側可撓性バンド（１６）に固定されており、
前記ベロー（３０）は、当該携行可能な可撓性電子デバイス（１０）の前記長手方向の対称軸（Ｘ−Ｘ）に沿って収縮し緩むことができる
ことを特徴にする携行可能な可撓性電子デバイス。
【発明の詳細な説明】
【技術分野】
【０００１】
本発明は、ユーザーの体の一部に巻かれるように意図された携行可能な可撓性電子デバイスに関する。本発明は、特に、腕時計タイプのような携行可能な可撓性電子デバイスに関する。
【背景技術】
【０００２】
本発明は、ユーザーの体の一部に巻かれるように意図されたストランドを備えたブレスレットストランドの形態である可撓性本体によって実質的に形成された携行可能な可撓性電子デバイスに関する。この可撓性本体は、下側可撓性バンドと、及び接着結合又は溶接のような任意の適切な手段、特に、熱溶接によって下側可撓性バンドに固定された上側可撓性バンドとによって形成される。この下側可撓性バンドは、携行可能な可撓性電子デバイスに対して厚み及び高い機械的耐久性を与える任意のプラスチック材料、例えば、エラストマーによって形成することができる。上側可撓性バンドは、任意の防水性のプラスチック材料で作られる薄い膜である。
【０００３】
携行可能な可撓性電子デバイスは、情報の種目を少なくとも１つ生成することができる電子アセンブリによって完成される。この情報を生成する電子アセンブリは、下側可撓性バンドと上側可撓性バンドの間に配置される。この携行可能な可撓性電子オブジェクトが腕時計タイプである場合には、電子アセンブリは、少なくとも、典型的には時間情報である情報を生成し表示することができる必要がある。このために、情報を生成し表示する電子アセンブリが、液晶表示セルのような情報を表示するデバイスと、及び携行可能電子デバイスの適正な動作のために必要な様々なディスクリート及び集積された電子部品、特に、時間ベースがマウントされた１つのプリント回路基板によって形成される。この情報を生成し表示する電子アセンブリは、電池のような電力供給デバイスによって完成される。
【０００４】
本発明の主題を形成する携行可能な可撓性電子デバイスは、手首のようなユーザーの体の一部に巻かれるように意図される。なお、携行可能電子デバイスは、上側可撓性バンドよりも厚い下側可撓性バンドを介してユーザーの手首と接し、これによって、携行可能電子デバイスに対して厚み及び機械的耐久性を与える。また、上側、下側可撓性バンドは、異なる弾性率を有する。下側可撓性バンドは、上側可撓性バンドよりも小さな曲率半径を有し、したがって、上側可撓性バンドに対して収縮される。この収縮が、下側可撓性バンドの材料で発生することに対してあまりにも大きくなると、下側可撓性バンドは、一連の膨らみを形成し、これは、美的な課題をもたらし、電子デバイスの着用の快適性に影響を与える。
【発明の概要】
【発明が解決しようとする課題】
【０００５】
本発明の目的は、他のことに加えて、電子デバイスがユーザーの手首に着用される際に、厚みと形を与える下側可撓性バンドが見苦しい折り目を形成せずに均質的に変形されるような携行可能電子デバイスを提供することによって、上記課題を克服することである。
【課題を解決するための手段】
【０００６】
このために、本発明は、情報の種目の１つを生成することができる携行可能な可撓性電子デバイスに関し、当該携行可能な可撓性電子デバイスは、ユーザーの体の一部に取り付けられることができるように構成する可撓性本体を有し、この可撓性本体は、当該携行可能な可撓性電子デバイスに厚み及び機械的耐久性を与える下側可撓性バンドと、及び前記下側可撓性バンドに固定される上側可撓性バンドを有し、当該携行可能な可撓性電子デバイスは、情報を生成する電子アセンブリを有し、この情報を生成する電子アセンブリは、前記可撓性本体の前記下側可撓性バンドと前記上側可撓性バンドの間に収容され、当該携行可能な可撓性電子デバイスにおいては、前記可撓性本体の長手方向の対称軸に対して横断する方向に延在する少なくとも１つの補強要素が、前記下側可撓性バンドに接合している。
【０００７】
本発明の第２の実施形態によると、情報の種目の１つを生成することができる携行可能な可撓性電子デバイスは、ユーザーの体の一部に取り付けられるように構成する可撓性本体を有し、この可撓性本体は、当該携行可能な可撓性電子デバイスに厚み及び機械的耐久性を与える下側可撓性バンドと、及び前記下側可撓性バンドに固定される上側可撓性バンドとを有し、当該携行可能な可撓性電子デバイスは、情報の種目の１つを生成する電子アセンブリを有し、この情報を生成する電子アセンブリは、前記可撓性本体の前記下側可撓性バンドと前記上側可撓性バンドの間で収容されており、当該携行可能な可撓性電子デバイスは、前記上側可撓性バンドの長さ上の１つの位置において、少なくとも１つの折り目を有する少なくとも１つのベローが設けられており、このベローは、当該携行可能な可撓性電子デバイスの長手方向の対称性を構成する方向にて収縮し緩む。
【０００８】
本発明の第３の実施形態によると、下側可撓性バンドは、少なくとも１つの横断方向の補強要素と少なくとも１つのベローとの組み合わせを有する。
【０００９】
これらの特徴の結果、本発明は、携行可能な可撓性電子デバイスを提供する、下側可撓性バンドが当該携行可能な可撓性電子デバイスに厚み及び機械的耐久性を与え、下側可撓性バンドには、当該電子デバイスの着用時の快適性に悪影響を与える見苦しい膨らみの外観を与える下側可撓性バンドの過度の収縮を防ぐことを目的とする横断方向の補強要素及び／又はベローが設けられる。実際に、横断方向の強化材は、両端において下側可撓性バンドと上側可撓性バンドの間でクランプされた直線状のビームのようにふるまい、これらの直線状のビームは、下側可撓性バンドにおける横断方向の膨らみの形成を完全ないしほとんど完全に防ぐ。同様に、ベローの存在は、ベローが設けられる下側可撓性バンド上の位置における材料の部分的な欠如状態をもたらす。結果的に、ベローの位置において、下側可撓性バンドは、より高い収縮率を有し、このことは、可撓性本体の長手方向にてベローが収縮され緩められるように構成されることと組み合わさって、下側可撓性バンドにおける縦の膨らみの出現を防ぐ。
【００１０】
本発明の他の特徴及び利点が、本発明に係る携行可能な可撓性電子デバイスの１つの実施形態についての下の詳細な説明から、より明白に理解することができるであろう。これらの例は、もっぱら添付図面を参照して与えられる例示（これらに限定されない）によって与えられる。
【図面の簡単な説明】
【００１１】
【図１】下側可撓性バンドにおける膨らみを示す、巻かれた位置にある従来技術による携行可能な可撓性電子デバイスについての概略輪郭図である。
【図２】本発明に係る携行可能電子デバイスの概略平面図である。
【図３】横断方向の強化材及びベローの領域の図２の携行可能電子デバイスの部分的な断面図である。
【発明を実施するための形態】
【００１２】
本発明は、下側可撓性バンドと、及び下側可撓性バンドに固定された上側可撓性バンドとを有する携行可能な可撓性電子デバイスを提供することからなる創造性のある思想から大まかに発展したものである。この下側可撓性バンドは、当該携行可能電子デバイスに対して厚みと機械的な耐久性を与え、この下側可撓性バンドには、ユーザーの手首のまわりなどに巻かれた際に膨らみの形成を防ぐように意図された手段が設けられている。このために、本発明においては、下側可撓性バンドには、携行可能電子デバイスの長手方向の対称性を構成する方向に対する横断方向に延在する補強要素が嵌められている。これらの補強要素は、両端において下側可撓性バンドと上側可撓性バンドの間でクランプされており、携行可能な電子オブジェクトの横断方向において下側可撓性バンドにおける膨らみの出現を防ぐ。本発明の別の実施形態によると、本発明は、下側可撓性バンドにおける一又は複数のベロー（bellow）であって、それぞれが少なくとも１つの折り目を有し、当該携行可能電子デバイスの長手方向の対称性を構成する方向において収縮され緩められるものを教示する。ベローの位置において、下側可撓性バンドの材料は、部分的に存在せず、これによって、下側可撓性バンドの収縮率を改善し、携行可能電子デバイスの長手方向における膨らみの出現を防ぐ。最後に、第３の変種によると、横断方向の補強及びベローが組み合わさって、下側可撓性バンドの横断方向及び長手方向のいずれの変形をも防ぐことができる。
【００１３】
図１は、従来技術による携行可能な可撓性電子デバイスについての輪郭図である。この従来技術による携行可能な可撓性電子デバイスの全体には、包括的な参照符号１が割り当てられており、手首のようなユーザーの体の一部のまわりにて着用される場合の巻かれた状態にあるものが示されている。携行可能電子デバイス１は、２つのブレスレットストランド２及び４によって形成された可撓性バンドであって、着用状態では一方のブレスレットストランドが他方の上に巻かれるような形態である。携行可能電子デバイス１は、下側可撓性バンド６と、及び例えば、接着結合又は溶接、特に、熱的溶接のような任意の適切な手段によって下側可撓性バンド６に固定される上側可撓性バンド８とを有する。下側可撓性バンド６は、エラストマーのような任意のプラスチック材料で作られ、これは、携行可能電子デバイスに１に厚み及び高い機械的耐久性を与える。上側可撓性バンド８については、これは、防水性プラスチック材料で作られている薄い膜である。
【００１４】
図１に示す巻かれた状態では、下側可撓性バンド６が着用者の手首などと接触する側において、下側可撓性バンド６は、アルファベット符号Ａで示される一連の膨らみを有することがわかる。これらの膨らみは、携行可能電子デバイス１の曲がりによって、及び下側可撓性バンド６と上側可撓性バンド８をそれぞれ形成する材料の弾性率の間の差によって発生し、携行可能電子デバイス１の美観及び着用時の快適性に悪影響を与える。
【００１５】
本発明の目的は、本特許出願に添付された図２及び３に示す携行可能な可撓性電子デバイスを提案することによって、上記課題を克服することである。本発明に係る携行可能な可撓性電子デバイス１０は、包括的な参照符号１０で全体が示されており、図１を参照して上で議論した従来技術による携行可能な可撓性電子デバイス１と同様なタイプのものである。具体的には、本発明に係る携行可能な可撓性電子デバイス１０は、２つのブレスレットストランド１２及び１４で形成された可撓性バンドの形態であって、携行可能電子デバイス１０の着用状態においてお互いの延長方向に配置され、一方が他方の上に巻かれるような形態になる。可撓性本体は、例えば（これに限定されない）、エラストマーで作られた下側可撓性バンド１６で形成され、また、薄い防水性のプラスチック材料で作られており、下側可撓性バンド１６の外周部２０に固定された上側可撓性バンド１８で形成される。なお、上側可撓性バンド１８は、必要であれば、下側可撓性バンド１６の表面全体の上に接合されていてもよい。
【００１６】
本発明に係る携行可能な可撓性電子デバイス１０は、少なくとも情報の一種目を生成し、本発明の好ましい変種によると（これに限定されない）、時間情報を生成し表示するように意図されている。この後者の場合に、携行可能電子デバイス１０には、情報を生成し表示する電子アセンブリ（図２及び図３において図示する）が設けられている。これは、液晶表示機器のような情報表示装置デバイスの少なくとも１つと、時間を表示するために必要なディスクリート及び集積された電子部品が固定された１つのプリント回路基板と、及び可撓性を有する電池とを有する。これらの様々な部品は、概して長方形の平坦な形であり、他方の上に配置されている。これらの部品で形成された電子アセンブリは、下側可撓性バンド１６内て範囲の限界が定められたハウジング２２内に配置される。
【００１７】
本発明によると、少なくとも１つ、好ましくは複数の補強要素２４が、下側可撓性バンド１６に固定される。これらの補強要素２４は、携行可能な可撓性電子デバイス１０の長手方向の対称性を構成する方向Ｘ−Ｘに横断するように延在する。これらの補強要素２４は、接着結合によって、又は下側可撓性バンド１６の材料の上で成型することによって、下側可撓性バンド１６に固定される。これらの補強要素２４は、好ましくは、上側可撓性バンド１８によって覆われるようにされた下側可撓性バンド１６の上側の面２６上に配置される。しかし、変種の１つによると、補強要素２４は、下側可撓性バンド１６の材料内に埋め込まれていてもよい。補強要素２４は、好ましくは、ハウジング２２の領域において、及びハウジング２２に隣接しているブレスレットストランドストランド１２及び１４の領域において配置される。
【００１８】
図面を検討することによってわかるように、横断方向の補強要素２４は、直線状のビームの形態であって両端が実質的に下側可撓性バンド１６の外周部２０まで延在するような形態である。これによって、上側可撓性バンド１８が下側可撓性バンド１６に固定される際に、横断方向の補強要素２４の両端２８が下側可撓性バンド１６と上側可撓性バンド１８の間でクランプされる。結果的に、横断方向の補強要素２４は、本発明に係る携行可能電子デバイス１０がユーザーの手首に巻かれる際に、下側可撓性バンド１６が横断方向にて変形することを防ぐ。
【００１９】
携行可能電子デバイス１０がユーザーの手首に巻かれる際に、上記の横断方向の補強要素２４はそれら自身が、携行可能電子デバイス１０の美観及び着用上の快適性を改善するために十分である。しかし、本発明の第２の態様によると、下側可撓性バンド１６において、少なくとも１つ、好ましくは複数のベロー３０それぞれには、本発明に係る携行可能電子デバイス１０の長手方向の対称性を構成する方向Ｘ−Ｘにおいて収縮され緩められる２つの折り目３２が形成されている。好ましくは、２つの連続のベロー３０どうしは、横断方向の補強要素２４によってお互い分けられている。なお、ベロー３０の存在によって、ベロー３０が設けられた下側可撓性バンド１６上の位置において材料が部分的にないという状態をもたらす。結果的に、ベロー３０の位置において、下側可撓性バンド１６の収縮率が高くなっており、これによって、ベロー３０が可撓性本体の長手方向Ｘ−Ｘにおいて収縮され緩められるように構成されることが組み合わさって、下側可撓性バンド１６の材料における長手方向の膨らみの出現を防ぐ。
【００２０】
このように、横断方向の補強要素２４をベロー３０と組み合わせることによって、下側可撓性バンド１６を構成する可撓性材料の横断方向の変形と長手方向の変形の両方を防ぐことができる。しかし、単に横断方向の補強要素２４を用いること又は単にベロー３０を用いることによって、非常に満足できる結果が得られることを理解できるであろう。
【００２１】
当然、本発明は、上記実施形態には制限されず、当業者であれば、添付の請求の範囲によって定められる本発明の範囲から逸脱せずに、様々な単純な変更及び変種を想起することができる。
【図１】
0005993522.tif 000002
【図２】
0005993522.tif 000003
【図３】
0005993522.tif 000004